(57)【要約】【課題】建物の開口部Ｏを開閉するインセット納まりの揺動型ドア装置をアウトセット納まりの構造にリフォームする際に、新規ドア８を支持する丁番１０を安定して取り付けるとともに、丁番１０の取付位置の制限も不要にする。【解決手段】既存ドアに代わる新規ドア８は、開口部Ｏの前側に配置されかつ吊元端部が開口部Ｏ周縁部に丁番１０を介して揺動可能に支持されていて、閉じ状態では開口部Ｏ全体を該開口部Ｏの前側から覆うように閉じるものとされる。開口部Ｏ周縁の吊元側の右柱１に前側から吊元縦枠１６が取り付けられ、その吊元縦枠１６に丁番１０が取り付けられている。丁番１０は、吊元縦枠１６を貫通する少なくとも１本のビスＶにより右柱１に取り付けられている。開口部Ｏの戸先側周縁部の左柱１に前側から戸先縦枠２５が取り付けられ、その戸先縦枠２５にラッチ受け２６が設けられている。【選択図】図２
2016003544.tif 000002
【特許請求の範囲】
【請求項１】
建物の開口部を、該開口部周縁の既存ドア枠又は開口部周縁の端部に支持されている既存ドアに代わる新規ドアにより開閉するようにした揺動型ドア装置であって、
上記新規ドアは、開口部の前側に配置されかつ吊元端部が上記開口部周縁部に丁番を介して揺動可能に支持されていて、閉じ状態では開口部全体を該開口部の前側から覆うように閉じるものとされ、
上記開口部周縁の吊元側の構造軸材に前側から吊元縦枠が取り付けられ、
上記吊元縦枠に上記丁番が取り付けられていることを特徴とする揺動型ドア装置。
【請求項２】
請求項１において、
丁番は、吊元縦枠を貫通する少なくとも１本のビスにより構造軸材に取り付けられていることを特徴とする揺動型ドア装置。
【請求項３】
請求項１又は２において、
開口部の戸先側周縁部の構造軸材、既存ドア枠又は開口部周縁の端部に前側から戸先縦枠が取り付けられ、該戸先縦枠に、新規ドアの戸先側のラッチに係合するラッチ受けが設けられていることを特徴とする揺動型ドア装置。
【発明の詳細な説明】
【技術分野】
【０００１】
本発明は、建物の開口部を開閉する揺動型ドア装置に関し、特に、建物の開口部周縁の既存ドア枠に支持されている既存ドアを新規ドアに取り換えて開閉するようにしたものに関する。
【背景技術】
【０００２】
一般に、建物の開口部を開閉する揺動型のドア装置は、吊元端部（戸尻端部）がドア枠に上下の丁番によって揺動可能に支持されたドアを備え、このドアの揺動によって開口部を開閉するようになっている。また、ドアの戸先端部には操作ハンドルによって出没するラッチが、またドア枠の縦枠にはラッチを受けるラッチ受けがそれぞれ設けられていて、両者の係合によりドアを閉じ状態に保持するようにしている。
【０００３】
このドア装置は、通常、ドア枠及びドアが開口部両側の柱（構造軸材）の間に位置するインセット納まりであり、ドア枠やドアの大きさは開口部の幅や高さに応じて決定される。そのため、このドア装置をリフォームするときには、既存の開口部に合わせた大きさのドア枠と扉を予め用意し、ドア枠等の交換のために開口部周囲の壁の工事が必要となり、大掛かりな工事となる。
【０００４】
一方、このようなインセット納まりのドア装置とは異なり、アウトセット納まりと呼ばれるドア装置が知られている。このアウトセット納まりのドア装置は、例えは特許文献１に示されるように、ドア枠及びドアが開口部の一側に配置され、そのドアの吊元端部がドア枠の一側面に丁番を介して揺動可能に支持されており、ドアの閉じ状態では開口部全体を一側から覆うように閉じるものである。
【先行技術文献】
【特許文献】
【０００５】
【特許文献１】実開平６−６２１８１号公報
【発明の概要】
【発明が解決しようとする課題】
【０００６】
そこで、上記インセット納まりのドア装置をリフォームするときに、特許文献１に示されるように、既存のドアに変わる新しいドアを開口部の一側に配置してアウトセット納まりの構造に変更すれば、ドア枠やドアの開口部に対する制約がなくなり、壁の工事等の大掛かりな工事が不要となるので都合が良い。
【０００７】
ところが、その場合、上記特許文献１のもののように、新しいドアを支持する丁番をドア枠の一側面に取り付けようとしても、例えば、そのドア枠がＭＤＦで形成されていたり、面取りや切り欠き等があったり、或いは木口にモールが形成されていたりすると、丁番を安定して取り付けることが難しくなり、丁番の取付位置も制限されるという問題が生じる。
【０００８】
本発明の目的は、インセット納まりのドア装置をアウトセット納まりの構造にリフォームする際に、ドアを支持する丁番の取付構造に改良を加えることにより、丁番を安定して取り付けるとともに、丁番の取付位置の制限も不要にしようとすることにある。
【課題を解決するための手段】
【０００９】
上記の目的を達成すべく、この発明では、新しいドアの丁番を既存のドア枠に取り付けるのではなく、開口部周縁の柱等の構造軸材に新たな縦枠を固定して、その縦枠に丁番を取付固定するようにした。
【００１０】
具体的には、第１の発明は、建物の開口部を、該開口部周縁の既存ドア枠又は開口部周縁の端部に支持されている既存ドアに代わる新規ドアにより開閉するようにした揺動型ドア装置であって、上記新規ドアは、開口部の前側に配置されかつ吊元端部が上記開口部周縁部に丁番を介して揺動可能に支持されていて、閉じ状態では開口部全体を該開口部の前側から覆うように閉じるものとされている。そして、上記開口部周縁の吊元側の構造軸材に前側から吊元縦枠が取り付けられ、この吊元縦枠に上記丁番が取り付けられていることを特徴とする。
【００１１】
この第１の発明では、新規ドアは開口部の前側に配置されており、その吊元端部が建物の開口部周縁部に丁番を介して揺動可能に支持され、閉じ状態では新規ドアが開口部全体をその前側から覆うように閉じるアウトセット納まりであるので、新規ドアは開口部の幅や高さよりも大きくしさえすれば、それらの制約を受けることがない。
【００１２】
しかも、新規ドアは開口部の前側から開口部全体を覆うように閉じるので、既存のドアを取り除いて、新規ドアを取り付けるだけで新たなドア装置が得られることとなり、開口部周囲の壁の工事等の大掛かりな工事が不要となり、建物の躯体の下地工事を要することなくドア装置を施工することができ、リフォームの工期が短くなり、その費用も少なくて済む。
【００１３】
また、新規ドアが閉じ状態では開口部全体をその前側から覆うので、前側から見て新規ドアが開口部周縁の壁等から浮き出るようになり、新規ドアにより既存ドア枠又は開口部周縁の端部が隠蔽されてすっきりした美麗な納まりが得られる。
【００１４】
また、開口部周縁の吊元側の構造軸材に吊元縦枠が取り付けられて、その吊元縦枠に上記丁番が取り付けられているので、丁番が既存ドア枠に影響されることなく安定して構造軸材に吊元縦枠を介して取り付けられ、新規ドアの支持構造が強固となり、そのドアの安定した開閉動作を長期間に亘って維持することができ、その信頼性を高めることができる。しかも、丁番は吊元縦枠に取付固定されればよいので、丁番はビスで固定される吊元縦枠の幅で取付位置が調整可能であるだけでなく、安定して取付可能である。
【００１５】
さらに、新規ドアが吊元縦枠に支持されるので、新規ドアと吊元縦枠との関係は通常のインセット納まりのドア装置と同じになり、丁番やラッチ機構等の金具は専用ではなくて通常一般のものをそのまま使用することができる。
【００１６】
第２の発明は、第１の発明において、丁番は、吊元縦枠を貫通する少なくとも１本のビスにより構造軸材に取り付けられていることを特徴とする。
【００１７】
この第２の発明では、丁番が吊元縦枠だけでなく、少なくとも１本のビスにより構造軸材に取付固定されるので、新規ドアの支持構造がより一層強固となり、そのドアの安定した開閉動作を長期間に亘って維持して、その信頼性をさらに高めることができる。
【００１８】
第３の発明は、第１又は第２の発明において、開口部の戸先側周縁部の壁を通じて構造軸材、既存ドア枠又は開口部周縁の端部に前側から戸先縦枠が取り付けられ、その戸先縦枠に、新規ドアの戸先側のラッチに係合するラッチ受けが設けられていることを特徴とする。
【００１９】
この第３の発明では、開口部の戸先側周縁部の構造軸材、既存ドア枠又は開口部周縁の端部に前側から戸先縦枠が取り付けられ、その戸先縦枠にラッチ受けが設けられているので、ドアを閉じ状態に保持するためのラッチ受けを調整可能に容易に設けることができる。ラッチ受けに関しては、取付強度が求められるものではないため、吊元側丁番の取付位置に合わせ任意位置に取り付ければよい。既存ドア枠の前側端面に取り付けられてもよいし、開口周縁部の前側壁面に取り付けられてもよい。
【００２０】
また、ドアの寸法により、ビス固定位置が例えば既存ドア枠の端部になる等、好ましくない位置になる場合は、吊元側丁番の取付位置や吊元縦枠を開口部周縁部において構造軸材のビス固定に支障のない幅において移動させたり、好ましい扉幅を選択することにより、ラッチ受けの取付位置を調整すればよい。
【００２１】
ラッチ受けとなる戸先縦枠は、取付強度が求められるものではないが、好ましくは開口部周縁部の構造軸材に前側壁部から構造軸材に至る長さのビス等により取り付けられるのが好ましい。
【００２２】
尚、上記いずれの発明の場合においても、既存ドア枠を残したまま本発明のドア装置を取り付けてもよいし、既存ドア枠の上にカバー材を取り付けてからドア装置を取り付けてもよい。また、既存ドア枠を取り外し、ドア枠の取り付いていた位置の開口部の周縁部を穴埋め、美化補修した後にクロス、カバー材等を取り付けてからドア装置を取り付けてもよい。
【発明の効果】
【００２３】
以上説明のように、本発明によると、建物の開口部を開閉する揺動型ドア装置をリフォームして既存ドアを新規ドアに取り換える場合に、新規ドアは、開口部の前側に配置されかつ吊元端部が開口部周縁部に丁番を介して揺動可能に支持されていて、閉じ状態では開口部全体を該開口部の前側から覆うように閉じるものとし、開口部周縁の吊元側の構造軸材に前側から吊元縦枠を取り付けて、その吊元縦枠に丁番を取り付けようにしたことにより、開口部周囲の壁の工事等の大掛かりな工事を不要としてリフォーム工期の短縮化や費用の低減を図ることができるとともに、丁番の構造軸材への吊元縦枠を介しての取付固定により丁番を安定して取り付けて新規ドアの支持構造を強固とし、ドアの安定した開閉動作を長期間に亘って維持して、その信頼性の向上を図ることができ、さらには丁番の取付位置の制限の不要化や通常一般の金具の使用を図ることができる。
【図面の簡単な説明】
【００２４】
【図１】図１は、本発明の実施形態１に係る揺動型ドア装置を前側から見た正面図である。
【図２】図２は、揺動型ドア装置を概略的に示す水平断面図である。
【図３】図３は、実施形態２の要部を示す水平断面図である。
【図４】図４は、実施形態３の要部を示す水平断面図である。
【発明を実施するための形態】
【００２５】
以下、本発明の実施形態を図面に基づいて詳細に説明する。以下の実施形態の説明は、本質的に例示に過ぎず、本発明、その適用物或いはその用途を制限することを意図するものでは全くない。
【００２６】
（実施形態１）
図１及び図２は本発明の実施形態１に係る揺動型ドア装置Ａを示し、１，１は建物の内部において前側空間Ｓ１（例えばリビングルーム）と後側空間Ｓ２（例えば廊下）との間に立設された構造軸材としての２本の柱であり、これらの柱１，１間には両空間Ｓ１，Ｓ２を往来するための開口部Ｏが形成されている。この開口部Ｏの周りは壁部が設けられ、この壁部は、柱１を挟んで前側空間Ｓ１及び後側空間Ｓ２に面するように前後に配置された壁材としての前後のプラスター（石膏）ボード２，２を備えている。
【００２７】
開口部Ｏの周縁には既存ドア枠５が取付固定されている。この既存ドア枠５は、前側空間Ｓ１から見て左右の縦枠５ａ，５ａと、両縦枠５ａ，５ａの上端部間に架け渡されて連結固定された左右水平方向に延びる横枠（図示せず）とを有し、左縦枠５ａは左柱１において右柱１に対向する内面に、また右縦枠５ａは右柱１において左柱１に対向する内面に、さらに横枠は柱１，１間に架設したまぐさ（図示せず）の下面にそれぞれ固定されている。この既存ドア枠５は、その前後幅が開口部Ｏ周りの壁部の厚さ（柱１の前後幅に前後のプラスターボード２，２の厚さを加えた寸法）よりも小さく、幅方向の両端部である前後端部は柱１の表面と面一となっており、この既存ドア枠５ないし柱１の表面にプラスターボード２，２の周縁部のうち左右端部がビス止めされて固定されている。
【００２８】
上記揺動型ドア装置Ａの施工前には、上記既存ドア枠５に既存ドア（図示せず）が開口部Ｏに沿う平面上に位置するようにインセット納まりで揺動可能に支持されていたが、この実施形態では、既存ドアが新規ドア８に取り換えられてリフォームされる。すなわち、揺動型ドア装置Ａは、開口部Ｏを、開口部Ｏ周縁の既存ドア枠５に支持されている既存ドアに代わる新規ドア８により開閉するようにしたものである。
【００２９】
上記新規ドア８は上記既存ドア枠５と略同等の大きさのドア材からなり、その左右幅は既存ドア枠５における左右縦枠５ａ，５ａの内面間の左右幅よりも大きく、高さは横枠よりも高いものとされている。この新規ドア８は開口部Ｏ前側の前側空間Ｓ１に、開口部Ｏの前後中央から距離Ｄだけずれて配置され、その右端部である吊元端部（戸尻端部）は開口部Ｏ周縁部の右側部に例えば上下３つの丁番１０，１０，…を介して揺動可能に支持されており、新規ドア８が開口部Ｏを閉じた閉じ状態では、開口部Ｏ全体を開口部Ｏ前側（前側空間Ｓ１側）から覆うように閉じる構造となっている。
【００３０】
上記開口部Ｏ周縁部の前面において吊元側には、既存ドア枠５の右縦枠５ａよりも少し右側位置（開口部Ｏの外側位置）に上下方向に延びる吊元縦枠１６が配置され、この吊元縦枠１６は吊元側の構造軸材である右柱１に対し前側から、吊元縦枠１６及び前側プラスターボード２を貫通する複数のビスＶ，Ｖ，…（図２で１つのみ示している）によって取付固定されている。そして、この吊元縦枠１６に、新規ドア８の吊元端部を支持するための上記丁番１０，１０，…がビス止めによって取付固定されている。
【００３１】
上記各丁番１０はいずれも同じ例えば隠し丁番からなる。この隠し丁番は公知のものであり、新規ドア８の戸先側木口面と、該木口面に対向する吊元縦枠１６の左側面との間に新規ドア８の閉じ状態で両者間に隠蔽されるように取り付けられる。各丁番１０（隠し丁番）は、吊元縦枠１６の左側面に形成した取付凹部１６ａ内に嵌合状態で埋め込まれて取付固定されかつ凹陥状のリンク収納部（図示せず）を有する枠取付部材１１と、新規ドア８の吊元端部の木口面に形成した取付凹部８ａ内に嵌合状態で埋め込まれて取付固定されかつ凹陥状のリンク収納部（図示せず）を有するドア取付部材１２と、各々の基部がそれぞれリンク収納部内に上下方向の軸により揺動可能に支持され、かつ先端部同士が上下方向の軸によって互いに揺動可能に支持された１対のリンク部材１３，１３とを備え、新規ドア８が閉じて吊元縦枠１６の左側面と新規ドア８の吊元端部の木口面とが対向したときに、リンク部材１３がリンク収納部内に収納されて外部から隠蔽されるようになっている。
【００３２】
そして、上記吊元縦枠１６を右柱１に固定している複数のビスＶ，Ｖ，…のうちの少なくとも１本は、上記各丁番１０の枠取付部材１１に挿通されており、このことで、各丁番１０は吊元縦枠１６を前後方向に貫通する少なくとも１本のビスＶにより右柱１に取り付けられている。
【００３３】
新規ドア８の戸先端部側の内部にはその上下の略中央部にラッチ機構（全体は図示せず）が取り付けられている。このラッチ機構も公知構造のものであり、新規ドア８の内部に収納されたボックス部（図示せず）と、このボックス部に揺動可能に支持され、新規ドア８を前後方向に貫通する操作軸２０とを有し、この操作軸２０の前後両端部にはそれぞれ操作ハンドル２１，２１が回動一体に取付固定されている。また、ラッチ機構は、新規ドア８の戸先側木口面（左側面）に対し出没可能にボックス部に支持されかつ操作軸２０に連動機構（図示せず）を介して駆動連結されたラッチ２３を有し、このラッチ２３の先端部の後側（後側空間Ｓ２側）には、左方向に向かうに従って前側（前側空間Ｓ１側）に向かうように傾斜する傾斜面２３ａが形成されている。ラッチ２３は、ボックス内のバネ等により突出方向に付勢されて常時は戸先端部の木口面から突出しており、操作ハンドル２１を回し操作して操作軸２０を回動させたとき、又はラッチ２３が没入方向に押されたときに、ラッチ２３が突出付勢力に抗してボックス内に没入するようになっている。
【００３４】
一方、上記開口部Ｏ周縁部の前面において戸先側には、既存ドア枠５の左縦枠５ａよりも少し左側位置（開口部Ｏの外側位置）に上下方向に延びる戸先縦枠２５が配置され、この戸先縦枠２５は戸先側の構造軸材である左柱１に対し前側から、戸先縦枠２５及び前側プラスターボード２を貫通する複数のビスＶ，Ｖ，…（図２で１つのみ示している）によって取付固定されている。
【００３５】
上記戸先縦枠２５の右側面には、その上下の略中央部に、上記新規ドア８の戸先側のラッチ２３に係合可能な凹陥部からなるラッチ受け２６が形成されている。そして、新規ドア８が開き状態から丁番１０回りに図２で時計回り方向に回動して閉じたときに、新規ドア８の戸先側のラッチ２３における傾斜面２３ａがラッチ受け２６前側の側壁部に押されてラッチ２３が突出付勢力に抗してドア８内に没入し、そのラッチ２３がラッチ受け２６前側の側壁部を超えた後に突出付勢力により突出してラッチ受け２６内に嵌入し該ラッチ受け２６と係合することで、新規ドア８はその戸先端部の後面が戸先縦枠２５の前面に当接して閉じ状態にロック保持される一方、操作ハンドル２１を操作してラッチ２３を没入させることで、ラッチ２３とラッチ受け２６との係合が解除されて、ドア８を前側に移動させて開き操作し得るようになっている。
【００３６】
上記実施形態では、建物の開口部Ｏに施工されている既存のドア装置を新規のドア装置Ａに交換してリフォームする場合、既存のドア装置の既存ドア枠５はそのまま残してドアのみをその丁番ごと取り外し、その後に新規のドア装置Ａを施工すればよい。
【００３７】
具体的には、開口部Ｏ周縁部前面の吊元側において吊元縦枠１６を右柱１に、また同戸先側において戸先縦枠２５を左柱１にそれぞれ前側プラスターボード２を貫通する複数のビスＶ，Ｖ，…で固定する。
【００３８】
次いで、吊元縦枠１６の左側面に隠し丁番からなる丁番１０の枠取付部材１１を、また新規ドア８の吊元端部の木口面に各丁番１０のドア取付部材１２をそれぞれ取り付けることで、新規ドア８の吊元端部を吊元縦枠１６に対し丁番１０，１０，…によって揺動可能に連結支持する。このとき、各丁番１０の枠取付部材１１は、吊元縦枠１６を右柱１に取付固定するための複数のビスＶ，Ｖ，…の少なくとも１本が挿通され、このビスＶにより丁番１０が右柱１に取り付けられる。すなわち、丁番１０を吊元縦枠１４に取り付けるときに、ビスＶをその枠取付部材１１に挿通させて右柱１にねじ込めばよい。
【００３９】
一方、戸先縦枠２５の右側面には、新規ドア８に内蔵されているラッチ機構のラッチ２３が係合可能なラッチ受け２６を形成する。
【００４０】
したがって、この実施形態では、新規ドア８は開口部Ｏの前側に配置されたアウトセット納まりであり、その吊元端部（右端部）が建物の開口部Ｏ周縁部に上下の丁番１０，１０，…を介して揺動可能に支持され、閉じ状態では新規ドア８が開口部Ｏ全体をその前側から覆うように閉じる。このため、新規ドア８は開口部Ｏの幅や高さよりも大きくしさえすれば、それらの制約を受けることがない。しかも、新規ドア８は開口部Ｏの前側から開口部Ｏ全体を覆うように閉じるので、既存のドアを取り除いて、新規ドア８を取り付けるだけで新たなドア装置Ａにリフォームされることとなり、既存ドア枠５等の交換は不要で、その交換のために開口部Ｏ周囲の壁の工事等の大掛かりな工事をしなくて済む。すなわち、建物の躯体の下地工事を要することなく既存ドア枠５を活かしてドア装置Ａを施工することができるので、リフォームの工期が短くなり、その費用も少なくなる。
【００４１】
また、新規ドア８は閉じ状態で開口部Ｏ全体をその前側から覆うので、前側から見て新規ドア８が開口部Ｏ周縁の壁部等から浮き出るように見えるようになり、新規ドア８により既存ドア枠５が隠蔽されてすっきりした美麗な納まりが得られる。
【００４２】
また、開口部Ｏ周縁の吊元側の右柱１に吊元縦枠１６が取り付けられ、その吊元縦枠１６に上記丁番１０，１０，…が取り付けられているので、丁番１０が既存ドア枠５に影響されることなく安定して右柱１（構造軸材）に吊元縦枠１６を介して取り付けられ、新規ドア８の支持構造が強固となる。しかも、丁番１０が吊元縦枠１６だけでなく、少なくとも１本のビスＶにより直接に右柱１に取付固定されるので、新規ドア８の支持構造はより一層強固となる。これらの結果、新規ドア８の安定した開閉動作を長期間に亘って維持することができ、その信頼性を高めることができる。また、丁番１０は右柱１に固定した吊元縦枠１６に取付固定されるので、その取付位置が制限されることもない。
【００４３】
さらに、新規ドア８はアウトセット納まりであるが、開口部Ｏ前側に位置する吊元縦枠１６に支持されるので、その新規ドア８と吊元縦枠１６との関係は通常のインセット納まりのドア装置と同じになる。そのため、丁番１０やラッチ機構等の金具はアウトセット納まり専用のものを用意する必要がなく、通常一般のものをそのまま使用することができる。
【００４４】
また、開口部Ｏの戸先側周縁部に位置する左柱１に前側から戸先縦枠２５が取り付けられ、その戸先縦枠２５に新規ドア８のラッチ２３に係合するラッチ受け２６が設けられているので、新規ドア８を閉じ状態に保持するためのラッチ受け２６を容易に設けることができる。
【００４５】
（実施形態２）
図３は本発明の実施形態２を示し（尚、以下の各実施形態では、図１及び図２と同じ部分については同じ符号を付してその詳細な説明は省略する）、開口部Ｏ周縁部に壁部の厚さよりも幅の広い既存ドア枠５が施工されている場合にリフォームするようにしたものである。
【００４６】
すなわち、この実施形態では、既存ドア枠５は、その前後幅が開口部Ｏ周りの壁部の厚さ（柱１の前後幅に前後のプラスターボード２，２の厚さを加えた寸法）よりも大きく、幅方向の両端部である前後端部が壁部（プラスターボード２）の表面から突出している。
【００４７】
また、戸先縦枠２５は、上下方向に延びる角材状のスペーサ２７を介して戸先側の左柱１に対し前側から取付固定され、このスペーサ２７の厚さ分だけ前側に突出しており、新規ドア８が閉じてラッチ２３が戸先縦枠２５のラッチ受け２６に係合したときに新規ドア８が既存ドア枠５と干渉しないようになっている。
【００４８】
その他の構成は実施形態１と同様であり、この実施形態でも実施形態１と同様の作用効果を奏することができる。
【００４９】
（実施形態３）
図４は、実施形態３を示し、既存ドア枠５を取り外してリフォームするようにしたものである。
【００５０】
すなわち、この実施形態では、開口部Ｏの周縁に取付固定されていた既存ドア枠５（図２参照）は取り外され、前後のプラスターボード２，２間には新たなプラスターボード２′が左柱１の右面に固定されて取り付けられている。その他は実施形態１の構成と同じである。
【００５１】
したがって、この実施形態の場合、ドア装置Ａは既存ドア枠５を取り外してもリフォームすることができる。
【００５２】
（その他の実施形態）
尚、上記実施形態では、丁番１０として隠し丁番を用いているが、ピボット丁番や旗丁番等の他の丁番を使用することもできる。また、丁番１０の数は３つに限定されない。
【００５３】
また、上記実施形態では、戸先縦枠２５を開口部Ｏの戸先側周縁部の柱１（構造軸材）に取り付けているが、既存ドア枠５に前側から戸先縦枠２５を取り付けるようにしてもよい。
【００５４】
さらに、上記実施形態では、新規ドア８の吊元端部を支持する吊元縦枠１６を開口部Ｏ周縁の右柱１にビスＶにより固定し、ドア８のラッチ２３に係合するラッチ受け２６が形成される戸先縦枠２５を開口部Ｏ周縁の左柱１に固定しているが、逆に、吊元縦枠１６を開口部Ｏ周縁の左柱１に、また戸先縦枠２５を開口部Ｏ周縁の右柱１にそれぞれビスＶにより固定してもよいのは勿論である。
【産業上の利用可能性】
【００５５】
本発明は、建物の開口部を開閉する揺動型ドア装置をリフォームして既存ドアを新規ドアに取り換える場合に、大掛かりな工事を不要としてリフォーム工期の短縮化や費用の低減を図り、ドアの安定した開閉動作を長期間に亘って維持できるので、極めて有用であり、産業上の利用可能性が高い。
【符号の説明】
【００５６】
Ａ  揺動型ドア装置
Ｓ１  前側空間
Ｓ２  後側空間
Ｏ  開口部
Ｖ  ビス
１  柱（構造軸材）
５  既存ドア枠
５ａ，５ａ  縦枠
８  新規ドア
Ｄ  距離
１０  丁番
１６  吊元縦枠
２０  操作軸
２１  操作ハンドル
２３  ラッチ
２５  戸先縦枠
２６  ラッチ受け
【図１】
2016003544.tif 000003
【図２】
2016003544.tif 000004
【図３】
2016003544.tif 000005
【図４】
2016003544.tif 000006